(57)【特許請求の範囲】
【請求項１】
印刷ドラムおよびこの印刷ドラムを回転可能に支持するフレームから構成されるドラムユニットを備え、前記フレームは、前記印刷ドラムをその軸線方向に回転可能に支持する支軸と、該支軸を介して前記印刷ドラムを懸垂支持するスライドフレームとからなり、
前記ドラムユニットは、印刷装置本体内に装着される装着位置とこの装着位置から印刷装置本体外に外される脱抜位置と前記ドラムユニットが該脱抜位置を占める直前に前記印刷装置本体内に一時保持される保持位置との間に移動可能に構成されており、
前記ドラムユニットが前記保持位置を占めるとき、前記印刷装置本体に配設された被係止手段と係合する係合位置とこの係合位置から外れた解除位置との間で変位自在な係止手段と、
前記係止手段を前記係合位置を占める向きに変位させる付勢手段と、
前記ドラムユニットが前記保持位置を占めたとき、前記係止手段を前記解除位置に変位させるための解除手段と、
前記スライドフレームに設けられた、前記ドラムユニットを把持操作するための、前記スライドフレームの前記軸線方向に対して起倒可能な把手部と、
前記ドラムユニットが前記保持位置を占めたとき、前記把手部を起立させる向きに付勢する起立付勢手段とを有し、
前記係止手段、前記付勢手段および前記解除手段が、前記ドラムユニット側に配設されており、
前記解除手段は、前記把手部の起立動作に連動して前記係止手段を前記解除位置に変位させるものであり、
前記起立付勢手段による前記把手部の起立動作範囲が、前記解除手段を介して前記係止手段を前記係合位置に保持する程度に設定されていることを特徴とする印刷装置のドラムストッパー機構。
【請求項２】
請求項１記載の印刷装置のドラムストッパー機構において、
前記被係止手段は凹部を有し、前記係止手段は前記凹部に選択的に係合する略凸状部を有することを特徴とする印刷装置のドラムストッパー機構。
【請求項３】
請求項１または２記載の印刷装置のドラムストッパー機構において、
前記係止手段が、板金で一体成形されていることを特徴とする印刷装置のドラムストッパー機構。
【発明の詳細な説明】
【０００１】
【発明の属する技術分野】
本発明は、孔版印刷装置等の印刷装置に関し、さらに詳しくは、印刷装置本体に対して着脱自在なドラムユニットを印刷装置本体内から引き出すときに、ドラムユニットの落下防止のために設けられたドラムストッパー機構に関する。
【０００２】
【従来の技術】
印刷装置として、版胴とも呼ばれている印刷ドラムおよびこの印刷ドラムを回転可能に支持するフレームから構成されるドラムユニットを備えた孔版印刷装置が良く知られている。このような孔版印刷装置としては、例えば特開平５−２２９２４３号や実開昭６１−８５４６２号公報に開示されているものをあげることができる。これらの孔版印刷装置には、図９に示すような印刷ドラム１およびこの印刷ドラム１を回転可能に支持する後述するフレームから構成されるドラムユニット１５０が備えられている。前記フレームは、インキ供給管を兼ねる支軸（図示せず）、前フレーム１５２、後フレーム（図示せず）および把持フレーム１６０で構成されている。そして、ドラムユニット１５０は、図１０および図１１において、印刷装置本体内に装着される装着位置（図示せず）とこの装着位置から印刷装置本体外に外される脱抜位置（図示せず）とドラムユニットが前記脱抜位置を占める直前に印刷装置本体内に一時保持される保持位置（図９および図１０に示す位置）との間に移動可能に構成されている。
【０００３】
把持フレーム１６０（実開昭６１−８５４６２号公報の第１図ではスライダ１０に相当する）廻りの詳細な構造、および把持フレーム１６０を本体側板５０に固定されたレールガイド５５に摺動可能に係合させる構造は、前記した特開平５−２２９２４３号公報の図２および図３あるいは実開昭６１−８５４６２号公報の第１図ないし第４図に示されているものと同様であり、重複説明を避けるためその説明を省略する。レールガイド５５は、図１０においてその下部のみを図示しており、上部の図示は省略している。
【０００４】
前記した孔版印刷装置には、通常、図９ないし図１１に示されているように、ドラムユニット１５０を印刷装置本体内から引き出すときに、ドラムユニット１５０の落下防止のために設けられたドラムストッパー機構１５３が配置されている。
このドラムストッパー機構１５３は、ドラムユニット１５０が前記保持位置を占めるとき、ドラムユニット１５０に配設された把持フレーム１６０のレールカバー１６１に形成された切欠孔１６１ａと係合する係合位置とこの係合位置から外れた解除位置との間で変位自在な、印刷装置本体に設けられたドラムストッパー１５４のコロ１５４ａと、ドラムストッパー１５４のコロ１５４ａを前記係合位置を占める向きに変位させる、印刷装置本体に設けられた圧縮バネ１５６と、ドラムユニット１５０が前記保持位置を占めたとき、ドラムストッパー１５４のコロ１５４ａを前記解除位置に変位させるための、ドラムユニット１５０に設けられた解除レバー１５８とから構成されている。
【０００５】
ドラムストッパー機構１５３の前記各構成部品の概要および動作について、以下に説明する。ドラムユニット１５０の前フレーム１５２には、ドラムユニット１５０を前記各位置に移動操作するための移動操作用の取手１５１が取付けられている。把持フレーム１６０は、ドラムストッパー１５４の解除操作を行うための解除レバー１５８を収納する機能およびドラムユニット１５０を持ち運び操作する際の上取手としての機能を兼ね備えている。ドラムストッパー１５４は、前記コロ１５４ａと、このコロ１５４ａをその自由端部で回転自在に支持するとともに前記係合位置と前記解除位置との間に揺動自在に支持するレバー１５５とからなる。レバー１５５の基端部は、印刷装置本体側に配設されている本体側板５０に固定されたストッパー取付部材５４上にバネ装着ネジ１５７により緩く挿通されて取付けられている。レバー１５５の基端部とストッパー取付部材５４との間には、バネ装着ネジ１５７に巻着された圧縮バネ１５６が設けられていて、この圧縮バネ１５６の付勢力によってドラムストッパー１５４のコロ１５４ａは前記係合位置を占める向きに付勢されている。
【０００６】
解除レバー１５８は、把持フレーム１６０のレールカバー１６１とこのレールカバー１６１下方に配置されたガイド部材１６２との間で図中太矢印で示す引出方向Ｘの前後両方向に所定ストロークに亘り摺動可能に配設されている。解除レバー１５８は、手動操作のための合成樹脂製の操作部１５８ａと、この操作部１５８ａの下部にその一端が一体的に取付けられた板金製の傾斜案内部１５８ｂと、この傾斜案内部１５８ｂの他端側に連続して形成された略水平面状をなす解除当接部１５８ｃと、この解除当接部１５８ｃの他端部に形成された合成樹脂製のバネ係止部１５８ｄとからなる。バネ係止部１５８ｄには引張バネ１５９が取付けられていて、この引張バネ１５９の付勢力によって解除レバー１５８は引出方向Ｘと逆の方向に常に付勢されている。解除レバー１５８の操作部１５８ａは、レールカバー１６１に形成されたスライド孔１６１ｂの範囲内で所定ストロークに亘りスライド可能となっている。
【０００７】
図１０に示すように、ドラムユニット１５０を前記装着位置を占めている状態から引出方向Ｘに引き出すと、ドラムユニット１５０が前記脱抜位置を占める直前に、ドラムストッパー１５４のコロ１５４ａが圧縮バネ１５６の付勢力を受けてレールカバー１６１の切欠孔１６１ａ内に嵌入・嵌合し、これによりドラムユニット１５０はそれ以上引き出すことができない位置、すなわち保持位置を占めるとともに、ドラムストッパー１５４のコロ１５４ａは前記係合位置を占める。この位置状態では、取手１５１から手を離しても、ドラムユニット１５０が落下することはない。
【０００８】
一方、前記のようにドラムユニット１５０が前記保持位置を占めている状態からドラムユニット１５０を引出方向Ｘに引き出して前記脱抜位置にさせるには、図９および図１１に示すように、解除レバー１５８の操作部１５８ａを引張バネ１５９の付勢力に抗して引出方向Ｘにスライド操作すると、解除レバー１５８の傾斜案内部１５８ｂがドラムストッパー１５４のコロ１５４ａを押し上げ、次いで解除当接部１５８ｃがコロ１５４ａと当接し、これによりコロ１５４ａの下端位置がレールカバー１６１の下面の高さと等しくなって、ドラムストッパー１５４のコロ１５４ａは前記解除位置を占める。したがって、ドラムユニット１５０をして前記脱抜位置を占めるように、ドラムユニット１５０を引出方向Ｘにさらに引き出すことができる。このように、ドラムユニット１５０を印刷装置本体内から引き出して取り外すときには、図９に示したように、取手１５１と把持フレーム１６０の略中央部とを両手で持ちながら、解除レバー１５８を前記したように操作することにより、ドラムユニット１５０を印刷装置本体から完全に取り外すことができる。
【０００９】
【発明が解決しようとする課題】
しかしながら、前記したような従来のドラムストッパー機構１５３では、次に述べるような種々の問題がある。
（１）ドラムストッパー機構１５３の構造が複雑であり、かつ、その構成部品点数（７点）が多くて、コストが高い。
（２）ドラムストッパー機構１５３の構成部品が、印刷装置本体側（ドラムストッパー１５４のコロ１５４ａおよび圧縮バネ１５６等）とドラムユニット１５０側（解除レバー１５８および引張バネ１５９）とに分割されて配設されているため、機構が大型化しコンパクトでない。
（３）ドラムストッパー機構１５３の解除レバー１５８が上取手でもある把持フレーム１６０内に収納されているため、上取手が大きくなりコンパクトでない。
【００１０】
したがって、本発明はかかる問題点を解決するためなされたものであり、その第１の目的は、ドラムストッパー機構を簡単化して部品点数を減らし、コストダウンをねらうことにある。第２の目的は、ドラムストッパー機構を一箇所にまとめて機構のコンパクト化をねらうことにある。
【００１１】
【課題を解決するための手段】
上述した目的を達成するために、請求項１記載の発明は、印刷ドラムおよびこの印刷ドラムを回転可能に支持するフレームから構成されるドラムユニットを備え、前記フレームは、前記印刷ドラムをその軸線方向に回転可能に支持する支軸と、該支軸を介して前記印刷ドラムを懸垂支持するスライドフレームとからなり、前記ドラムユニットは、印刷装置本体内に装着される装着位置とこの装着位置から印刷装置本体外に外される脱抜位置と前記ドラムユニットが該脱抜位置を占める直前に前記印刷装置本体内に一時保持される保持位置との間に移動可能に構成されており、前記ドラムユニットが前記保持位置を占めるとき、前記印刷装置本体に配設された被係止手段と係合する係合位置とこの係合位置から外れた解除位置との間で変位自在な係止手段と、前記係止手段を前記係合位置を占める向きに変位させる付勢手段と、前記ドラムユニットが前記保持位置を占めたとき、前記係止手段を前記解除位置に変位させるための解除手段と、前記スライドフレームに設けられた、前記ドラムユニットを把持操作するための、前記スライドフレームの前記軸線方向に対して起倒可能な把手部と、前記ドラムユニットが前記保持位置を占めたとき、前記把手部を起立させる向きに付勢する起立付勢手段とを有し、前記係止手段、前記付勢手段および前記解除手段が、前記ドラムユニット側に配設されており、前記解除手段は、前記把手部の起立動作に連動して前記係止手段を前記解除位置に変位させるものであり、前記起立付勢手段による前記把手部の起立動作範囲が、前記解除手段を介して前記係止手段を前記係合位置に保持する程度に設定されていることを特徴とする。
【００１２】
請求項２記載の発明は、請求項１記載の印刷装置のドラムストッパー機構において、前記被係止手段は凹部を有し、前記係止手段は前記凹部に選択的に係合する略凸状部を有することを特徴とする。
【００１３】
請求項３記載の発明は、請求項１または２記載の印刷装置のドラムストッパー機構において、前記係止手段が、板金で一体成形されていることを特徴とする。
【００１６】
【発明の実施の形態】
以下、添付図面を参照して本発明の実施の形態について実施例を含めて詳述する。各図において、図面の簡明化を図るため各構成部品を適宜省略する。図において一対で構成されていて特別に区別して説明する必要がない構成部品は、説明の簡明化を図る上から、その片方を適宜記載することでその説明に代えるものとする。構成部品の形状及びその配設位置を説明する際において、ドラムユニットの引出方向の下流側を「前」とその上流側を「後」というときがあり、また前記引出方向と直交する幅方向であって引出方向と対向する側から見た前記幅方向をそれぞれ「左」・「右」というときがある。上述した従来の技術、以下説明する各実施の形態および変形例等に亘り、同一の形状および機能を有する構成部品等については同一の符号を付すことによりその説明をできるだけ省略する。
【００１７】
（実施の形態１）
図１ないし図６を参照して、本発明に係る第１の発明の実施の形態（以下、単に「実施の形態１」という）について説明する。
まず、図６を参照して、前記実施の形態１を適用した孔版印刷装置の全体構成と孔版印刷のプロセスを簡単に説明する。同図において、後述するドラムユニットを構成するフレーム等の図示を省略している。
【００１８】
同図において、符号５０は印刷装置本体側に配設された本体側板を示す。本体側板５０の上部にある、符号８０で示す部分は原稿読取部を構成し、その下方の符号９０で示す部分は製版給版部、その左側に符号１００で示す部分は多孔性の印刷ドラム１が配置された印刷ドラム部、その左の符号７０で示す部分は排版部、製版給版部９０の下方の符号１１０で示す部分は給紙部、印刷ドラム１の下方の符号１２０で示す部分は印圧部、本体側板５０の左下方の符号１３０で示す部分は排紙部を、それぞれ示している。
【００１９】
先ず、原稿読取部８０の上部に配置された原稿受け台（図示せず）に、印刷すべき画像を持った原稿６０をセットし、図示しない製版スタートキーをオンすると、排版工程が実行される。すなわち、印刷ドラム部１００の印刷ドラム１が図の矢印Ａと反対方向に回転し、印刷ドラム１の外周面に装着されていた使用済マスタ６１ｂの後端部が排版部７０の排版剥離ローラ対７１ａ，７１ｂに近づくと、同ローラ対７１ａ，７１ｂは回転しつつ一方の排版剥離ローラ７１ｂで使用済マスタ６１ｂの後端部をすくい上げ、排版剥離ローラ対７１ａ，７１ｂの左方に配設された排版コロ対７３ａ，７３ｂと排版剥離ローラ対７１ａ，７１ｂとの間に掛け渡された排版搬送ベルト対７２ａ，７２ｂとで構成される排版剥離搬送部により、使用済マスタ６１ｂは印刷ドラム１の外周面から漸次剥され、矢印Ｙ１方向へ搬送されつつ排版ボックス７４内へ排出されていわゆる排版が終了する。このとき印刷ドラム１は反時計回り方向への回転を続けている。こうして排出された使用済マスタ６１ｂは、その後、圧縮板７５により排版ボックス７４の内部で圧縮される。
【００２０】
排版工程と並行して、原稿読取部８０では原稿読取が行われる。すなわち、前記原稿受け台にセットされた原稿６０は、分離ローラ８１、前原稿搬送ローラ対８２ａ，８２ｂおよび後原稿搬送ローラ対８３ａ，８３ｂのそれぞれの回転により矢印Ｙ２からＹ３方向に搬送されつつ露光読み取りに供される。このとき、原稿６０が多数枚あるときは、分離ブレード８４の作用でその最下部の原稿のみが搬送される。原稿６０の画像読み取りは、コンタクトガラス８５上を搬送させつつ、蛍光灯８６により照明された原稿６０の表面からの反射光を、ミラー８７で反射させレンズ８８を通して、ＣＣＤ（光電変換素子）等から成る画像センサ８９に入射させることにより行われる。すなわち、原稿６０の読み取りは、公知の「縮小式の原稿読取方式」で行なわれ、その画像が読み取られた原稿６０は原稿トレイ８０Ａ上に排出される。画像センサ８９で光電変換された電気信号は、本体側板５０内の図示しないアナログ／デジタル（Ａ／Ｄ）変換基板に入力されデジタル画像信号に変換される。
【００２１】
一方、この画像読み取り動作と並行して、デジタル信号化された画像情報に基づき製版および給版工程が行われる。芯管６１ｓの周りにロール状に巻かれたマスタロール６１Ｒの芯管６１ｓが、製版給版部９０の所定部位に配設された図示しない回転支持部材により回転自在に支持されていて、マスタ６１がマスタロール６１Ｒから引き出され、サーマルヘッド９１にマスタ６１を介して押圧しているプラテンローラ９２および送りローラ対９３ａ，９３ｂの回転により、さらにマスタ搬送路の下流側に搬送される。このように搬送されるマスタ６１に対して、サーマルヘッド９１の主走査方向に一列に配列された多数の微小な発熱体部が、前記Ａ／Ｄ変換基板およびその後の図示しない製版制御基板で各種処理を施されて送られてくるデジタル画像信号に応じて各々選択的に発熱し、発熱した発熱体部に接触しているマスタ６１の熱可塑性樹脂フィルムが溶融穿孔される。このようにして、画像情報に応じたマスタ６１の位置選択的な溶融穿孔により、画像情報が穿孔パターンとして書き込まれる。
【００２２】
画像情報が書き込まれた製版済マスタ６１ａの先端は、給版ローラ対９４ａ，９４ｂにより印刷ドラム１の外周部側へ向かって送り出され、図示しないガイド部材により進行方向を下方へ変えられ、図示のように給版待機位置状態にある印刷ドラム１の拡開したマスタクランパ２（仮想線で示す）へ向かって垂れ下がる。このとき印刷ドラム１は、排版工程により使用済マスタ６１ｂを既に除去されている。
【００２３】
そして、製版済マスタ６１ａの先端が、一定のタイミングでマスタクランパ２によりクランプされると、印刷ドラム１は図中矢印Ａ方向（時計回り方向）に回転しつつ外周面に製版済マスタ６１ａを徐々に巻きつけていく。製版済マスタ６１ａの後端部は、製版完了後にカッタ９５により一定の長さに切断される。一版の製版済マスタ６１ａが印刷ドラム１の外周面に完全に巻装されるといわゆる給版が終了する。
【００２４】
製版および給版終了と同時に、印刷工程が開始される。先ず、給紙台５１上に積載された印刷用紙６２の内の最上位の１枚が、給紙コロ１１１および分離コロ対１１２ａ，１１２ｂによりレジストローラ対１１３ａ，１１３ｂに向けて矢印Ｙ４方向に送り出され、さらにレジストローラ対１１３ａ，１１３ｂにより印刷ドラム１の回転と同期した所定のタイミングで印圧部１２０に送られる。こうして送り出された印刷用紙６２が、印刷ドラム１とプレスローラ１０３との間にくると、印刷ドラム１の外周面下方に離間していたプレスローラ１０３が上方に移動されることにより、印刷ドラム１の外周面に巻装された製版済マスタ６１ａに押圧される。こうして、印刷ドラム１の多孔部および製版済マスタ６１ａの穿孔パターン部（共に図示せず）からインキが滲み出し、この滲み出たインキが印刷用紙６２の表面に転移されて、印刷画像が形成される。
【００２５】
このとき、印刷ドラム１の内周側では、それぞれインキ供給手段を構成する、支軸４を兼ねるインキ供給管４からインキローラ５とドクタローラ６との間に形成されたインキ溜り７にインキが供給され、印刷ドラム１の回転方向と同一方向に、かつ、印刷ドラム１の回転速度と同期して回転しながら内周面に転接するインキローラ５により、インキが印刷ドラム１の内周側に供給される。
【００２６】
印圧部１２０において印刷画像が形成された印刷用紙６２は、それぞれ排紙部１３０を構成する、排紙剥離爪１１４により印刷ドラム１から剥がされ、吸着用ファン１１８に吸引されつつ、吸着排紙入口ローラ１１５および吸着排紙出口ローラ１１６に掛け渡された搬送ベルト１１７の反時計回り方向の回転により、矢印Ｙ５方向へ搬送され、排紙台５２上に落下して順次排出積載される。このようにしていわゆる試し刷りが終了する。
【００２７】
次に、図示しないテンキーで印刷枚数をセットし、図示しない印刷スタートキーをオンすると前記試し刷りと同様の工程で、給紙、印刷および排紙の各工程がセットした印刷枚数分繰り返して行われ孔版印刷工程が終了する。
【００２８】
図１ないし図６を参照して、印刷ドラム１廻りおよびこれに関連する印刷装置本体側の構成について述べる。
図１および図２において、符号１０は実施の形態１のドラムユニットを示す。
ドラムユニット１０は、印刷装置本体内に装着される装着位置（図１に示す近傍の位置）とこの装着位置から印刷装置本体外に外される脱抜位置（図示せず）とドラムユニット１０が前記脱抜位置を占める直前に印刷装置本体内に一時保持される保持位置（図３に示す位置）との間に、後述する印刷装置本体側に配設された案内支持手段を介して移動可能に構成されている。
【００２９】
ここで、前記装着位置とは、ドラムユニット１０を介して印刷ドラム１が前記した孔版印刷工程を行うべきところに移動されて保持され得る位置をいう。前記脱抜位置とは、ドラムユニット１０が前記案内支持手段による支持状態から解除され印刷装置本体外に完全に引き出された直後の位置をいう。前記保持位置とは、ドラムユニット１０が前記案内支持手段による支持状態から解除され印刷装置本体外に一気に引き出されて落下したりすることを防止するために、安全上の配慮から設けられた位置をいう。
【００３０】
ドラムユニット１０は、印刷ドラム１およびこの印刷ドラム１を回転可能に支持するフレーム（後述する）から主に構成されている。前記フレームは、支軸４、前部フレーム１１、後部フレーム１２およびスライドフレーム１３から構成される。印刷ドラム１の前後端には、図２のみに示すように、一対のドラムフランジ３，３（同図には前側のみ示す）が取付けられている。印刷ドラム１は、周知のとおり、ドラムフランジ３，３を介して支軸４の前後端部により回転可能に支持されている。印刷ドラム１のドラムフランジ３，３の各外側には、前部フレーム１１および後部フレーム１２が配置されていて、支軸４の前後端部は、図示しない固定部材を介して前部フレーム１１および後部フレーム１２の略中央部にそれぞれ固定されている。前部フレーム１１および後部フレーム１２の各上部は、スライドフレーム１３の前後端部にそれぞれ固定されている。前部フレーム１１、後部フレーム１２およびスライドフレーム１３は、板金でできている。
【００３１】
なお、前記フレームは、本実施の形態１のように支軸４、前部フレーム１１、後部フレーム１２およびスライドフレーム１３から構成されるものに限らず、スライドフレームをスライドフレーム１３よりも引出方向Ｘの前後方向に延ばし、その前後両端部をアングル状に垂下させて前部フレーム１１および後部フレーム１２に相当する部位を一体形成してもよい。要するに、前記フレームは、印刷ドラム１をその軸線方向に回転可能に支持する支軸４と、支軸４を介して印刷ドラム１を懸垂支持するスライドフレームとからなるものであってもよい。
【００３２】
前部フレーム１１には、ドラムユニット１０を前記各位置に移動操作させる際等に把持するための移動操作用の前取手２７が一対の取手ブラケット２７ａ，２７ａを介して取付けられている。また、前部フレーム１１には、箱体状のインキ容器３０を収納するためのインキ容器収納筐体３１が設けられている。このインキ容器収納筐体３１は、前部フレーム１１の幅方向に延びて固定支持された軸３１ａの周りに揺動可能に支持されており、インキ容器３０の交換作業の際にインキ容器３０の挿脱を容易にするために図１において時計回り方向に傾斜可能となっている。インキ容器３０の図示しない口金部は、インキポンプ等のインキ供給駆動手段およびインキホース等の連通部材（共に図示せず）を介してインキ供給管４に接続されている。
【００３３】
スライドフレーム１３は、印刷ドラム１の軸線方向（以下、ドラムユニット１０の移動方向の一方向である「引出方向Ｘ」と簡略的にいうときがある）に沿った長さが印刷ドラム１のそれよりも長くなるように設定されており、スライドフレーム１３における引出方向Ｘと直交する幅方向の寸法は、人の手が挿入可能な占有幅に相当する幅に設定されている。印刷ドラム１の直径が人の手を挿入できる幅に相当して設定されている場合には、スライドフレーム１３の前記幅方向の寸法は、その直径と略同じか、もしくはその直径よりも多少長くなるように設定されている。
【００３４】
スライドフレーム１３は、印刷ドラム１の軸線方向の後部の一部を除く略全域に亘りその幅方向で左右に分割されていて、その分割部分には開口部１３ｂが形成されている。スライドフレーム１３は、図２および図５に示すように、側面視形状が略Ｚ字状に成形されていて、開口部１３ｂを有することにより、板金部材とした場合の重量が軽減されている。スライドフレーム１３には、側面視でその両端にフランジ状をなす摺接フランジ１３ａがそれぞれ形成されており、図２において左側後部寄りの摺接フランジ１３ａには異形状の切欠溝１３ｅが形成されている。図２のみに示すように、スライドフレーム１３の左右上部のウェブ壁面上には、山形状に切り曲げられた一対のガイドストッパー１３ｃ，１３ｃを形成するための切り曲げ部１３ｄ，１３ｄがそれぞれ設けられている。スライドフレーム１３の後端の両側壁には、コロ軸１４ａを持ったコロ１４がそれぞれ回転自在に取付けられている。スライドフレーム１３は、前記したような支軸４を介しての、前部フレーム１１および後部フレーム１２との取付け構造から、印刷ドラム１を懸垂支持することができるようになっている。スライドフレーム１３廻りの構成は、前述した他に特有の配置構造を有しており、これらの詳細については後述する。
【００３５】
図１において、符号５６はガイドレールを示す。ガイドレール５６は、ドラムユニット１０を、前記装着位置と前記保持位置と前記脱抜位置との間に移動可能に案内する案内支持手段の機能を有する。ガイドレール５６は、板金でできていて、図５に示すように、側面視で略チャンネル状に成形されている。ガイドレール５６は、引出方向Ｘと平行に印刷装置本体内に延びていて、その一端部が本体側板５０に他端部が内部側板５０Ａにそれぞれ固定されている。ガイドレール５６の前記一端部の開口上壁部には、テーパ部５６ａが形成されている。ガイドレール５６の前記一端部の開口下壁部は、その図示を省略しているが、本体側板５０から引出方向Ｘの前方に平行に延びていて、ガイドレール５６内へドラムユニット１０を挿入する際に一対のコロ１４，１４を載置案内するようになっている。ガイドレール５６は、図１および図５のみにその上下壁部の形状を図示し、他の図においては後述するドラムストッパー機構の図示の簡明化を図るためその上壁部のみを示す。図１および図５において、ガイドレール５６の前側左側寄りの上壁には、被係止手段としての凹部矩形状の切欠孔５７が開けられている。ガイドレール５６の左右の下壁内面は、ドラムユニット１０の自重の負荷を受けて、左右一対のコロ１４，１４を転動可能に案内支持するとともに、左右一対の摺接フランジ１３ａ，１３ａを摺接可能に案内支持する。
【００３６】
内部側板５０Ａには、ドラムユニット１０が前記装着位置を占めたとき、ドラムユニット１０の支軸４を受け入れて位置決め支持する軸受部５８が設けられている。ドラムユニット１０が前記装着位置を占めたとき、ドラムユニット１０を３次元方向に位置決めする手段としては、前記したものの他に、例えば実開昭６１−８５４６２号公報に記載されている位置決め手段と同様の方式を採用している。
図１および図２において、符号２０は、ドラムストッパー機構を示す。ドラムストッパー機構２０は、ドラムユニット１０が前記保持位置を占めるとき、前記した被係止手段としての切欠孔５７と係合する係合位置とこの係合位置から外れた解除位置との間で変位自在な係止手段としてのストッパー部材２１と、ストッパー部材２１を前記係合位置を占める向きに変位させる付勢手段としての板バネ２８と、ドラムユニット１０が前記保持位置を占めたとき、ストッパー部材２１を前記解除位置に変位させるための解除手段としての把手部２３とから主に構成されている。
【００３７】
このドラムストッパー機構２０は、前述した従来のドラムストッパー機構１５３と比較して、係止手段としてのストッパー部材２１、付勢手段としての板バネ２８および解除手段としての把手部２３が、全てドラムユニット１０側の略一箇所に集約されて配設されていることを特徴とするものである。
【００３８】
ストッパー部材２１は、板金でできている。ストッパー部材２１は、起立した略凸状部と、この略凸状部に対して略水平に折り曲げ形成されたバネ係合部２１ｃとから一体成形されている。ストッパー部材２１の前記略凸状部は、その後部寄りに形成された前上がりの斜面部２１ｂと、この斜面部２１ｂに連続して形成され略水平面状をなす摺接部２１ｄと、この摺接部２１ｄに対して略直角の絶壁状に形成された係止部２１ａとを有していて、特有の山形状をなしている。
【００３９】
斜面部２１ｂは、ドラムユニット１０がガイドレール５６からの着脱時において、ガイドレール５６のテーパ部５６ａにガイドされながら滑らかに摺接係合する部位である。摺接部２１ｄは、ドラムユニット１０が印刷装置本体内に挿入され、あるいは移動されるときに、ガイドレール５６の上壁上面に摺接する部位である。係止部２１ａは、ドラムユニット１０が前記保持位置を占めたときに、切欠孔５７の前端部に係合して係合位置を占める部位である。
【００４０】
ストッパー部材２１は、スライドフレーム１３の切欠溝１３ｅ近傍における側壁に軸２２を介して揺動自在に配置されており、ストッパー部材２１の下部を切欠溝１３ｅ内に嵌入させている。ストッパー部材２１の重量配分は、軸２２を挟んだ係止部２１ａ側の方がバネ係合部２１ｃ側の方よりも大きく設定されている。これにより、ストッパー部材２１は、その自重によって常に時計回り方向に揺動する習性を付与されている。
【００４１】
板バネ２８は、その基端部がバネ係合部２１ｃ近傍のスライドフレーム１３の摺接フランジ１３ａ上にネジで締結されていて、その自由端部がバネ係合部２１ｃ上面を弾性的に押圧している。したがって、この板バネ２８の付勢力により、ストッパー部材２１は常に反時計回り方向へ揺動する向きに変位する習性を与えられており、換言すればストッパー部材２１の係止部２１ａが前記係合位置を占める向きに変位するように付勢されている。
【００４２】
把手部２３は、前記したようにドラムユニット１０が前記保持位置を占めたとき、それを操作することによりストッパー部材２１を解除位置に変位させる解除手段の機能を有する他に、ドラムユニット１０を持ち運び操作する際の上取手の機能をも有しているものである。把手部２３は、後述する構造により、スライドフレーム１３の引出方向Ｘに対して起倒可能に設けられている。
【００４３】
把手部２３は、上取手２４、左右一対の取手レバー２５，２５および左右一対のレバー軸２６，２６からなる。図１および図２において、各取手レバー２５，２５は、スライドフレーム１３における引出方向Ｘの中央部もしくはその引出方向Ｘの中央部よりも後部フレーム１２側に偏寄した位置において、スライドフレーム１３の各側壁に回転可能に支持された各レバー軸２６，２６に固定・支持されている。各取手レバー２５，２５の基端側の後端には、スライドフレーム１３のガイドストッパー１３ｃに摺接係合する摺接部２５ａがそれぞれ形成されている。図において左側の取手レバー２５の基端側は、ストッパー部材２１のレバー係合部２１ｅに選択的に係合すべく引出方向Ｘの後へ延びてストッパー係合部２５ｂとなっている。また、左側の取手レバー２５の基端側は、レバー軸２６による支持部の一部を切欠溝１３ｅ内に嵌入させている。
【００４４】
各取手レバー２５，２５の揺動端には、これら揺動端同士をネジで連結する上取手２４が固定され、これによって把手部２３は、平面視で略コ字状に形成されていることになる。各取手レバー２５は、実施例的には厚さ１．６ｍｍ程度の板金部材でできており、また上取手２４には、握った場合の把持性が良好な樹脂部材が用いられている。
【００４５】
把手部２３は、ドラムユニット１０が印刷装置本体内に挿入されている場合、図１および図２に示すように、スライドフレーム１３の上面にその自重により倒伏され、ドラムユニット１０が保持位置を占めたとき、図４に示すように、起立させることができるようになっている。本実施の形態１では実施例的に、スライドフレーム１３の各ガイドストッパー１３ｃ，１３ｃと各取手レバー２５，２５の摺接部２５ａ，２５ａとの係合寸法形状により、把手部２３の起立角度θが、把手部２３の上取手２４とスライドフレーム１３との間に人の手が差込める角度に相当する３０〜６０゜に設定されている。
【００４６】
前述の構造のとおり、ドラムユニット１０が前記保持位置を占めていた状態において、図４に示すように、把手部２３の上取手２４を持って反時計回り方向に所定の角度揺動させることにより、各レバー軸２６，２６の周りに各取手レバー２５，２５が同じ反時計回り方向に揺動され、ストッパー係合部２５ｂがストッパー部材２１のレバー係合部２１ｅに係合してストッパー部材２１が時計回り方向に揺動される。これにより、ガイドレール５６の切欠孔５７に係合して前記係合位置を占めていたストッパー部材２１の係止部２１ａは、切欠孔５７との係合を解除されて、前記解除位置を占めることとなる。換言すれば、把手部２３のストッパー係合部２５ｂは、把手部２３の起立動作に連動して、ストッパー部材２１の係止部２１ａを前記解除位置に変位させることとなる。
【００４７】
ここで、説明は前後するが、スライドフレーム１３廻りの特有の配置構造について述べる。前述したように、スライドフレーム１３は、その配置位置における寸法形状を、人の手が挿入可能な占有幅に相当させて、印刷ドラム１の直径と略同じか、若しくは多少長くすることにより、次のような機能をもたせてある。
【００４８】
図５は、ドラムユニット１０を排紙方向Ｘと対向して前方から見たときの側面図であり、同図において、スライドフレーム１３は、印刷ドラム１の直径方向の寸法を略全域にわたって覆っている。図５において、符号ＤＭは印刷ドラム１の直径であり、符号ｂはスライドフレーム１３の幅寸法を示している。従来の技術における前記把持フレームの同幅方向の幅寸法はスライドフレーム１３の幅寸法に対して小さいものとなっているため、本実施の形態１のようにスライドフレーム１３により懸垂支持されている印刷ドラム１は、その懸垂支持位置を支点として揺れようとした場合の支持部面積を大きくできることにより、その揺れを規制しやすくなる。本実施の形態１では実施例的に、前記幅寸法ｂの値として、把手部２３に対して手を差込めるようにするために８０ｍｍ以上の寸法が必要であることを考慮し、９０ｍｍ以上であって、好ましくは、１００〜１５０ｍｍに設定されている。
【００４９】
また、スライドフレーム１３は、印刷ドラム１の外周面に対する位置が次のように決められている。
図５において、スライドフレーム１３の上壁下面と印刷ドラム１の外周面との間の間隔ｈは、印刷ドラム１の外周面に存在するマスタクランパ２とスライドフレーム１３とが衝突しない間隔できわめて小さい寸法に設定されており、実施例的には１０ｍｍ以下、好ましくは、殆ど０に近い寸法値が選択されている。これにより、スライドフレーム１３の上壁下面は、印刷ドラム１の外周面との間の間隔ｈが小さく、スライドフレーム１３と印刷ドラム１とがきわめて小さい間隔により接近していることになる。
【００５０】
一方、スライドフレーム１３の上壁上面と装置本体側のガイドレール５６の上壁下面との間の間隔Ｌは、把手部２３をスライドフレーム１３の上壁上面に倒伏させることができるようになっているので、起立したままで前記装着位置に装着される場合に比べて小さくすることができ、実施例的には、５〜１０ｍｍに設定されている。
【００５１】
次に、ドラムストッパー機構２０の動作について簡単に述べる。
図１は、ドラムユニット１０が印刷装置本体内に挿入されていて、前記装着位置近傍にある状態を示している。ここで例えば、ドラムユニット１０が前記装着位置を占めていて、インキの色替えやジャム等の不具合発生等により、ドラムユニット１０を引き出すときには、先ず、ユーザは、一方の手で前取手２７を握ってドラムユニット１０を引出方向Ｘに引き出す。このとき、図示を省略したロック装置部のロックが解除されて、支軸４が軸受部５８から外れるとともに、一対のコロ１４，１４がガイドレール５６の両下壁上面に沿って転動し、またストッパー部材２１の摺接部２１ｄがガイドレール５６の上壁下面に沿って摺接しながら、ドラムユニット１０が引出方向Ｘに移動される。ストッパー部材２１が、ガイドレール５６の切欠孔５７に到達すると、図３に示すように、板バネ２８の付勢力によりストッパー部材２１が反時計回り方向に所定角度回動して切欠孔５７内に嵌入し、嵌合する。すなわち、ストッパー部材２１の係止部２１ａがガイドレール５６の切欠孔５７の前端部に係合して、ストッパー部材２１が前記係合位置を占めると同時に、ドラムユニット１０が前記保持位置を占めて、ドラムユニット１０が前記保持位置に確実に保持されることとなる。この状態では、ドラムユニット１０は、引き出し操作時の操作力の慣性等によって一気に抜け落ちたりすることなく、ドラムユニット１０を確実かつ安全に引き出し操作することができる。
【００５２】
次いで、ドラムユニット１０を印刷装置本体外に完全に引き出すべく、ストッパー部材２１の係止部２１ａとガイドレール５６の切欠孔５７の前端部との係合状態を解除する操作を行う。この解除操作は、図４に示すように、先ず、把手部２３の上取手２４を他方の手で握って反時計回り方向に所定の角度回動（揺動でもある）させることにより、各レバー軸２６，２６の周りに各取手レバー２５，２５が同じ反時計回り方向に揺動されて、把手部２３が所定の角度θ揺動し起立した時点で、ストッパー係合部２５ｂがストッパー部材２１のレバー係合部２１ｅに係合してストッパー部材２１が時計回り方向に揺動される。これにより、切欠孔５７の前端部に係合して前記係合位置を占めていたストッパー部材２１の係止部２１ａは、切欠孔５７の前端部との係合を解除されて、前記解除位置を占めることとなる。そして、一方の手で前取手２７を握り、他方の手で上取手２４を握った状態で、ドラムユニット１０を印刷装置本体外に完全に引き出すべく引出方向Ｘにさらに引き出すと、ドラムユニット１０が前記脱抜位置を占めることとなる。
【００５３】
次に、ドラムユニット１０を印刷装置本体内に挿入し装着するときには、一方の手で前取手２７を握り、他方の手で上取手２４を握った状態で、一対のコロ１４，１４をガイドレール５６の開口部に突出した両下壁上面に載置させてから、他方の手を上取手２４から離し、一方の手でドラムユニット１０を引出方向Ｘと反対方向に押し込むと、板バネ２８の付勢力がストッパー部材２１のバネ係合部２１ｃに作用している状態の下で、ストッパー部材２１の斜面部２１ｂがガイドフレーム５６のテーパ部５６ａに接触して案内されつつ、次いでストッパー部材２１の摺接部２１ｄがガイドフレーム５６の上壁下面に摺接し、ドラムユニット１０が引出方向Ｘと反対方向に移動されていく。このとき、ストッパー部材２１がガイドフレーム５６の切欠孔５７に到達すると、ストッパー部材２１の斜面部２１ｂおよび摺接部２１ｄ等が順次切欠孔５７の前端部から後端部に摺接するのみで、ストッパー部材２１がガイドフレーム５６の切欠孔５７に引っ掛かることなくスムーズに移動される。そして、支軸４が軸受部５８に嵌入されるとともに、前記した位置決め手段によりドラムユニット１０が３次元的に位置決めされ、最後に前記ロック装置部が作動し、ドラムユニット１０が前記装着位置に確実に係止保持されることとなる。
【００５４】
本実施の形態１は以上のような構成であるから、本実施の形態１によれば、次のような各利点が得られる。
ドラムストッパー機構が簡素化されて、部品点数も少なくなった（３点←７点）ので、コストダウンを図ることができた。
ドラムストッパー機構をドラムユニット側にだけ一箇所にまとめることができたので、機構のコンパクト化を図ることができた。
把手部２３の起立動作に連動して、把手部２３のストッパー係合部２５ｂはストッパー部材２１を前記解除位置に変位させるので、従来のような把持フレーム内に複雑な構造の解除手段を収納する必要がなくなったので、さらに、機構のコンパクト化を図ることができた。
【００５５】
また、前記したこととも相まって、ドラムユニット全体のコンパクト化、特にドラムユニットの高さ方向のコンパクト化を実現できた。
前記各利点に加えて、前取手２７を握ってドラムユニット１０を引出方向Ｘと反対方向に押し込むことによりドラムユニット１０が前記装着位置に移動して装着完了となる場合には、把手部２３がその自重によりスライドフレーム１３の上壁上面に倒伏されていて、把手部２３は非使用状態となる。したがって、印刷ドラム１の外周面と把手部２３の下面との間には、手を差込めるようにするための間隔を予め設定しておく必要がないので、その間隔をきわめて小さくすることが可能になる。これにより、孔版印刷装置の高さ方向の寸法を低減することができる。
【００５６】
ドラムユニット１０が前記脱抜位置に移動して持ち運ばれる際には、ドラムユニット１０の前取手２７を握ってドラムユニット１０を引き出すことができる。こうして脱抜位置に引き出されたドラムユニット１０を持ち運ぶには、把手部２３を起立させる。これにより、ドラムユニット１０と把手部２３の上取手２４との間に手を差込むための空間が形成される。ドラムユニット１０の運搬は、前記した前取手２７と上取手２４とを持つことで可能となる。
【００５７】
把手部２３が起倒可能であり、かつ、ドラムユニット１０のスライドフレーム１３上壁面上に把手部２３が倒伏されるので、前記装着位置にあるドラムユニット１０のスライドフレーム１３の上壁上面と印刷装置本体側のガイドレール５６上壁下面との間の間隔Ｌを必要最小限に設定することができる。これにより、孔版印刷装置の高さ方向での寸法を低減することが可能となる。
【００５８】
また、ドラムユニット１０を引出方向Ｘおよびこれと反対方向に移動する際には、ドラムユニット１０を懸垂支持しているスライドフレーム１３の支持面積が従来のそれよりも大きくされていることにより、ドラムユニット１０がスライドフレーム１３を支点として揺れるのを防止することができる。
【００５９】
（実施の形態２）
図７に、本発明に係る第２の発明の実施の形態（以下、単に「実施の形態２」という）を示す。
図７において、符号１０Ａは実施の形態２のドラムユニットを、符号２０Ａは実施の形態２のドラムストッパー機構をそれぞれ示す。ドラムユニット１０Ａのドラムストッパー機構２０Ａは、前記した実施の形態１のドラムストッパー機構２０に対して、把手部２３に代えて後述する把手部２３Ａを起立させる向きに付勢する起立付勢手段としてのねじりコイルバネ３５を左側のレバー軸２６に巻着した把手部２３Ａを有すること、およびテーパ部５６ａを備えたガイドレール５６に代えて案内斜面部５６Ａａを備えたガイドレール５６Ａを有することのみ相違する。
【００６０】
ねじりコイルバネ３５は、巻着方向の各端部を左側の取手レバー２５の裏面とスライドフレーム１３のガイドストッパー１３ｃ（図７では省略して図示しているため図２参照）とにそれぞれ係止させている。このねじりコイルバネ３５の付勢力は、ドラムユニット１０Ａが前記保持位置を占めたとき、ユーザが把手部２３Ａの上取手２４をつかみやすくするために、スライドフレーム１３の上壁上面に対して把手部２３Ａを所定の起立角度θαだけ起立させる向きに付勢するように設定されている。換言すれば、ドラムユニット１０Ａが前記保持位置を占めたとき、ねじりコイルバネ３５による把手部２３Ａの起立動作範囲としての所定の起立角度θαが、把手部２３Ａのストッパー係合部２５ｂとストッパー部材２１のレバー係合部２１ｅとの係合を介してストッパー部材２１の係止部２１ａを前記係合位置に保持する程度に設定されている。
【００６１】
ガイドレール５６Ａの案内斜面部５６Ａａは、ガイドレール５６のテーパ部５６ａの前述した機能に対して、ドラムユニット１０Ａの着脱時における把手部２３Ａのいわば自動的な起立性および倒伏性の機能を付加したものであり、次に述べるような利点がある。
【００６２】
すなわち、ドラムユニット１０Ａを前記保持位置から前記脱抜位置に向けて取外し移動する場合、把手部２３Ａがガイドレール５６Ａの開口部端から外側に飛び出した時点で、案内斜面部５６Ａａによって徐々に所定の起立角度θαに達する。これにより、把手部２３Ａの急峻な起立が防止されて起立した際の衝撃力を抑制することができる。しかも、ドラムユニット１０Ａを前記脱抜位置から前記保持位置へ向けて挿入移動する場合、ガイドレール５６Ａの前記開口部端でスライドフレーム１３が引っ掛るようなことがないので、スムーズな移動を行えるとともに、これに付随して相対的な摺接部の耐久性を向上させ得る。また、多少のコストアップを許容しても良いのであれば、案内斜面部５６Ａａに代えて、回動自在なコロ（図示せず）とこのコロを回動自在に支持するブラケットを案内斜面部５６Ａａと同様の角度を持って本体側板５０に配設してもよい。このようにした場合には、前述した上取手２４と案内斜面部５６Ａａとの摺接によるよりも転動接触するのでさらに耐久性の向上を図れる。
【００６３】
なお、把手部２３Ａの上取手２４が、ガイドレール５６Ａの案内斜面部５６Ａａと摺接することによる耐久性の向上を望まなくても良いのであれば、ガイドレール５６のテーパ部５６ａと摺接するようにしてもよいことはいうまでもない。
【００６４】
したがって、本実施の形態２によれば、前記実施の形態１の利点に加えて、ユーザが把手部２４Ａの上取手２４をつかみやすくなるので、前記利点の他に、さらにドラムストッパー機構２０Ａの操作性向上を図ることができる。
【００６５】
（実施の形態３）
図８に、本発明に係る第３の発明の実施の形態（以下、単に「実施の形態３」という）を示す。
図８において、符号１０Ｂは実施の形態３のドラムユニットを、符号２０Ｂは実施の形態３のドラムストッパー機構をそれぞれ示す。ドラムユニット１０Ｂのドラムストッパー機構２０Ｂは、前記した実施の形態１のドラムストッパー機構２０に対して、解除手段の機能を兼ね備えたストッパー係合部２５ｂを有する把手部２３に代えて、本発明の解除手段の機能のみを有する解除把手部３９とドラムユニット１０Ｂの持ち運び操作に専用する専用把手部３６とを別々に独立させて配設したことが主に相違する。
【００６６】
解除把手部３９は、解除用取手４０、取手レバー４２およびレバー軸４１からなる。取手レバー４２は、左側のスライドフレーム１３の側壁に回転可能に支持されたレバー軸４１に固定・支持されている。取手レバー４２の基端側は、ストッパー部材２１のレバー係合部２１ｅに選択的に係合すべく引出方向Ｘの後へ延びてストッパー係合部４２ａとなっている。また、取手レバー４２の基端側は、レバー軸４１による支持部の一部を切欠溝１３ｅ内に嵌入させている。
【００６７】
解除把手部３９は、ドラムユニット１０Ｂが印刷装置本体内に挿入されている場合、図８に示すように、スライドフレーム１３の上壁上面にその自重により倒伏され、ドラムユニット１０Ｂが保持位置を占めたとき、起立させることができるように配置されている。
【００６８】
取手レバー４２の揺動端には、ネジを介して上取手４０が固定されている。取手レバー４２は、実施例的には厚さ１．６ｍｍ程度の板金部材でできており、また上取手４０には、握った場合の把持性が良好な樹脂部材が用いられている。
【００６９】
専用把手部３６は、実施の形態１と同様の上取手２４、左右一対の取手レバー３７，３７および左右一対のレバー軸３８，３８からなる。各取手レバー３７，３７は、スライドフレーム１３における引出方向Ｘの略中央部において、スライドフレーム１３の各側壁に回転可能に支持された各レバー軸３８，３８に固定・支持されている。各取手レバー３７，３７の基端側の後端には、スライドフレーム１３のガイドストッパー１３ｃに摺接係合する摺接部３７ａがそれぞれ形成されている。各取手レバー３７，３７の揺動端には、これら揺動端同士をネジで連結する上取手２４が固定されている。取手レバー３７は、実施例的には厚さ１．６ｍｍ程度の板金部材でできている。
【００７０】
専用把手部３６は、ドラムユニット１０Ｂが印刷装置本体内に挿入・装着されている場合、スライドフレーム１３の上壁上面にその自重により倒伏され、ドラムユニット１０Ｂが保持位置を占めたとき、起立させることができるように配設されている。本実施の形態３では、前記実施の形態１と同様に、スライドフレーム１３の各ガイドストッパー１３ｃ，１３ｃと各取手レバー３７，３７の摺接部３７ａ，３７ａとの係合寸法形状により、専用把手部３６の起立角度が、専用把手部３６の上取手２４とスライドフレーム１３との間に人の手が差込める角度に相当する３０〜６０゜に設定されている。
【００７１】
次に、この実施の形態３の動作について、前記実施の形態１の動作と相違する点のみ述べる。ドラムユニット１０が前記保持位置を占めた状態において、解除把手部３９の解除用取手４０を持って反時計回り方向に所定の角度揺動させることにより、レバー軸４１の周りに解除レバー４２が同じ反時計回り方向に揺動され、ストッパー係合部４２ａがストッパー部材２１のレバー係合部２１ｅに係合してストッパー部材２１が時計回り方向に揺動される。これにより、ガイドレール５６の切欠孔５７の前端部に係合して前記係合位置を占めていたストッパー部材２１の係止部２１ａは、切欠孔５７の前端部との係合を解除されて、前記解除位置を占めることとなる。ストッパー部材２１の係止部２１ａと切欠孔５７の前端部との係合が解除されたことを確認した後に、解除用取手４０から手を離せばよい。
【００７２】
したがって、この実施の形態３は、ドラムストッパー機構を簡単化して部品点数を削減できる利点およびその操作性の向上による利点を実施の形態１や２程に望まなくても良い場合に有効なものである。
前記実施の形態３において、専用把手部３６の上取手２４および解除把手部３９の解除用取手４０の把持操作性の向上を図りたいのであれば、前記した実施の形態２と同様に、専用把手部３６および解除把手部３９にそれぞれ適正な付勢力を有するねじりコイルバネを付設して起倒可能に構成してもよい。
【００７３】
前記実施の形態１ないし３等におけるドラムストッパー機構２０，２０Ａ，２０Ｂは、従来の技術で述べた特開平５−２２９２４３号や実開昭６１−８５４６２号公報に記載されたドラムストッパー機構１５３に代えて、適用可能なことはいうまでもない。
【００７４】
前記実施の形態１ないし３等では、印刷ドラム１および前記フレーム等から構成される各ドラムユニット１０，１０Ａ，１０Ｂを移動させる場合を説明したが、印刷ドラム１と同様に、孔版印刷装置の内部と外部とに移動可能な装置、例えば、保守が必要とされる製版部９０や使用済マスタ６１ｂの取り出し・廃棄を行なう必要がある排版部７０等を対象として、これらに前述したドラムストッパー機構２０，２０Ａ，２０Ｂを準用することも勿論可能である。
【００７５】
被係止手段は、前記切欠孔５７に限らず、略凸状部を有する係止手段と選択的に係合して、ドラムユニットを前記保持位置に保持することが可能な形状ならば凹部状であってもよい。
【００７６】
前記実施の形態１ないし３等におけるドラムストッパー機構２０，２０Ａ，２０Ｂを構成する前記各構成部品および各構成部材の材質等は、前記したものに限らず、装置が使用される環境およびユーザの要望等に対して適宜適切に設計されることはいうまでもない。
【００７７】
なお、極言すれば、本発明の実施の形態は、前記実施の形態１ないし３等のドラムストッパー機構２０，２０Ａ，２０Ｂに限定されず、印刷装置本体内におけるドラムユニットの移動時において、前記係止手段と前記案内支持手段との摺動抵抗を大きめに設定してドラムユニット移動操作性を多少抑えてもよいのであれば、その構成部品である付勢手段としての板バネ２８を除去するとともに、係止手段として板金で一体成形されたストッパー部材２１に代えて、ストッパー部材２１と類似の形状を有するバネ鋼製のストッパー部材を配設したものであってもよい。前記バネ鋼製のストッパー部材としては、例えば、ストッパー部材２１の係止部２１ａ、斜面部２１ｂ、摺接部２１ｄおよびレバー係合部２１ｅを有するストッパー部材２１と略同様の輪郭形状をもってこれらの各部において適正な厚さのバネ鋼で形成するとともに、ストッパー部材２１のバネ係合部２１ｃを除去し、前記斜面部２１ｂの後端部に接続してバネ取付部を形成し、前記斜面部２１ｂの後端部と前記バネ取付部との間で鋭角状に前上がり傾斜した部分を弾性的に撓み変位させるバネの屈曲点としたものである。
【００７８】
以上述べたとおり、本発明を特定の発明の実施の形態あるいはこれらに包含されている実施例等について説明したが、本発明の構成は、上述した実施の形態１ないし３等に限定されるものではなく、これらを適宜組合わせて構成してもよく、本発明の範囲内において、その必要性および用途等に応じて種々の発明の実施の形態や実施例を構成し得ることは当業者ならば明らかである。
【００７９】
【発明の効果】
以上説明したように、請求項１記載の発明によれば、前記構成により、印刷装置のドラムストッパー機構のコンパクト化を図ることができると共に、ユーザが把手部をつかむときの操作性を向上することができる。
【００８０】
請求項２記載の発明によれば、被係止手段は凹部を有し、係止手段は凹部に選択的に係合する略凸状部を有することにより、ドラムユニットは、係止手段の略凸状部が被係止手段の凹部に係合して係止手段が係合位置を占めることで、保持位置において確実に一時保持されるので、ドラムユニットが一気に外れたりすることがない。このような被係止手段および係止手段の形状によって、ドラムユニット引き出し、装着時のスライドおよび保持がコンパクトかつ簡単な機構で実現することができる。
【００８３】
請求項３記載の発明によれば、係止手段が、板金で一体成形されていることにより、一つの部品で済むとともに、必要な強度を確保して安価に加工することができるので、部品点数を減らしてコストダウンを図ることができる。
【図面の簡単な説明】
【図１】本発明に係る実施の形態１のドラムストッパー機構を示す一部断面を含む正断面図である。
【図２】実施の形態１におけるドラムストッパー機構の外観斜視図である。
【図３】実施の形態１におけるドラムストッパー機構の動作を示す一部断面を含む正断面図である。
【図４】実施の形態１におけるドラムストッパー機構の動作を示す一部断面を含む正断面図である。
【図５】実施の形態１のドラムユニットの構造を簡略的に示す側面図である。
【図６】本発明に係る実施の形態１のドラムストッパー機構を適用した孔版印刷装置の全体構成を簡略的に示す側面図である。
【図７】本発明に係る実施の形態２のドラムストッパー機構を示す一部断面を含む正断面図である。
【図８】本発明に係る実施の形態３のドラムストッパー機構を示す一部断面を含む正断面図である。
【図９】従来の孔版印刷装置におけるドラムストッパー機構の操作を一部拡大して示す要部の斜視図である。
【図１０】図９におけるドラムストッパー機構の構造および動作を示す要部の正断面図である。
【図１１】図９におけるドラムストッパー機構の構造および動作を示す要部の正断面図である。
【符号の説明】
１                      印刷ドラム
４                      フレームを構成する支軸
１０，１０Ａ，１０Ｂ    ドラムユニット
１１                    フレームを構成する前部フレーム
１２                    フレームを構成する後部フレーム
１３                    フレームを構成するスライドフレーム
２０，２０Ａ，２０Ｂ    ドラムストッパー機構
２１                    係止手段としてのストッパー部材
２１ａ                  ストッパー部材の係止部
２３                    解除手段としての把手部
２４                    把手部を構成する上取手
２５ｂ                  解除手段を構成する把手部のストッパー係合部
２７                    前取手
２８                    付勢手段としての板バネ
３５                    起立付勢手段としてのねじりコイルバネ
Ｘ                      引出方向
【図１】
0003742693.tif 000002
【図２】
0003742693.tif 000003
【図３】
0003742693.tif 000004
【図４】
0003742693.tif 000005
【図５】
0003742693.tif 000006
【図６】
0003742693.tif 000007
【図７】
0003742693.tif 000008
【図８】
0003742693.tif 000009
【図９】
0003742693.tif 000010
【図１０】
0003742693.tif 000011
【図１１】
0003742693.tif 000012